(57)【要約】  【課題】左右の脚体の構造の共通化による設計コスト及び製造コストの削減、棚板の高さ位置を変更可能に構成した場合における天板下空間の見栄えの向上、及び天板付き家具の幅方向端部以外の位置に棚を設ける構成の実現等を最小限の設計変更で実現する。  【解決手段】天板Ｄ１の下面に幅方向に沿って延伸するとともに天板Ｄ１の下面から垂下する起立面Ｄ３ａ、Ｄ３ｂを有する横架材Ｄ３を奥行き方向に離間させて複数設け、異なる２つの横架材Ｄ３の互いに対向する起立面Ｄ３ａ、Ｄ３ｂに対をなす被係合部たる取付孔Ｄ３ｘ、Ｄ３ｙを形成している天板付き家具Ｄに取り付けられるものであって、棚板３の側端部を支持する側板１と、前記取付孔Ｄ３ｘ、Ｄ３ｙにそれぞれ係合可能な対をなす係合部１１、１２を有し、これら係合部１１、１２を互いに相寄る方向に相対移動させそれぞれ対応する取付孔Ｄ３ｘ、Ｄ３ｙに係合させることにより前記側板１を棚板３とともに前記天板付き家具Ｄに取り付け可能であることを特徴とする棚Ｔを用意する。  【選択図】図３
2005198913.tif 000002
【特許請求の範囲】
【請求項１】
天板の下面に幅方向に沿って延伸するとともに天板の下面から垂下する起立面を有する補強部を奥行き方向に離間させて複数設け、異なる２つの補強部の互いに対向する起立面又は互いに背向する起立面のそれぞれに対をなす被係合部を形成している天板付き家具に取り付けられるものであって、棚板の側端部を支持する側板と、前記被係合部にそれぞれ係合可能な対をなす係合部を有し、これら係合部を互いに相寄る方向又は互いに離間する方向に相対移動させそれぞれ対応する被係合部に係合させることにより前記側板を棚板とともに前記天板付き家具に取り付け可能であることを特徴とする棚。
【請求項２】
前記対をなす係合部を、前記側板の上端部に設けていることを特徴とする請求項１記載の棚。
【請求項３】
前記被係合部として対をなす取付孔を有する前記天板付き家具に取り付けられるものであって、前記対をなす係合部が、それぞれ互いに相寄る方向又は互いに離間する方向に延伸する突起であることを特徴とする請求項１又は２記載の棚。
【請求項４】
前記対をなす係合部の少なくとも一方の下方に、該係合部と同方向に突出し前記補強部の下面と当接する当接部を備えていることを特徴とする請求項３記載の棚。
【請求項５】
前記対をなす係合部の一方が前記側板に固定されているとともに、前記対をなす係合部の他方が奥行き方向に移動可能であり、前記当接部を前記奥行き方向に移動可能な係合部の下方にのみ設けていることを特徴とする請求項４記載の棚。
【請求項６】
金属板により形成され、基部と、この基部から上方に突出する突部とを備える取付板を２枚１組で側板に設け、前記対をなす係合部を、前記突部の突出端近傍からさらに互いに相寄る方向又は互いに離間する方向に突出させてそれぞれ形成しているものであって、組をなす取付板の基部を幅方向に重合させていることを特徴とする請求項１、２、３、４又は５記載の棚。
【請求項７】
幕板を有する天板付き家具に用いられるものであって、前記側板の後面の下端部に前記幕板に設けた位置決め部と係合可能な位置決め爪を備えていることを特徴とする請求項１、２、３、４、５又は６記載の棚。
【請求項８】
前記位置決め爪が上方に突出し、前記位置決め部が前記位置決め爪を下方から挿入可能な形状を有することを特徴とする請求項７記載の棚。
【請求項９】
前記側板の内面の前下端部に棚板止め突起を内方に突出させて設けていることを特徴とする請求項１、２、３、４、５、６、７又は８記載の棚。
【請求項１０】
前記棚板と、天板の幅方向に離間させて１対に設けられ前記棚板の両端部をそれぞれ支持する棚板受け具とを係止ピンにより互いに固定可能にしているものであって、前記側板の下端近傍に係止ピンを保持可能な係止ピン保持部を設けていることを特徴とする請求項９記載の棚。
【請求項１１】
前記棚板の高さ位置を変更可能に構成していることを特徴とする請求項１、２、３、４、５、６、７、８、９又は１０記載の棚。
【請求項１２】
請求項１、２、３、４、５、６、７、８、９、１０又は１１記載の棚を取り付け可能なものであって、天板の下面に幅方向に沿って延伸するとともに天板の下面から垂下する起立面を有し互いに奥行き方向に離間する補強部を複数有するとともに、異なる２つの補強部の互いに対向する起立面又は互いに背向する起立面に対をなして形成される被係合部を有し、これら対をなす被係合部を介して前記棚を取り付け可能であることを特徴とする天板付き家具。
【請求項１３】
異なる補強部の対向する面又は背向する面に、前記被係合部たる取付孔をそれぞれ設けていることを特徴とする請求項１２記載の天板付き家具。
【請求項１４】
天板の下方に案内レールを介して奥行き方向にスライド可能な引出しを設けているものであって、前記案内レール間ないし前記案内レールと天板を支持する脚体との間の空間に前記被係合部を形成していることを特徴とする請求項１２又は１３記載の天板付き家具。
【請求項１５】
前記引出しを幅方向に３つ以上並列して設けているものであって、前記被係合部を前記案内レール間に形成していることを特徴とする請求項１４記載の天板付き家具。
【発明の詳細な説明】
【技術分野】
【０００１】
本発明は、天板付き家具の天板下方に取り付けられる棚、及びこのような棚を取り付け可能な天板付き家具に関する。
【背景技術】
【０００２】
従来、天板付き家具の下方に設けられ、物品を収納可能な棚としては、天板の下方に中仕切板を設けるとともに、天板を支持する脚体としての機能をも有する側板と前記中仕切り板との間に棚板を掛け渡す態様のものが広く知られている（例えば特許文献１を参照）。
【特許文献１】特開平９−１４９８２０号公報
【発明の開示】
【発明が解決しようとする課題】
【０００３】
ところで、このような構成により棚を天板下方に取り付ける場合、天板を支持する脚体に前記側板としての機能を備えさせるために、前記脚体に棚板を取り付けるための棚板取り付け部を設ける必要がある。すなわち、この脚体は前記側板としての機能を備えない他方の脚体と異なる構造を有し、製造コストの上昇を引き起こし得る。また、棚板の高さ位置を変更可能に構成する場合、前記棚板取り付け部を高さ方向に互いに離間させて複数設け、あるいは棚板の高さ位置を変更するための棚板高さ変更機構を側板に設ける必要があり、使用していない棚板取り付け部や前記棚板高さ変更機構により天板下方の外観が損なわれる不具合が起こり得る。加えて、例えば天板下方に引出しを幅方向に並列して３個設ける場合の中央の引出しに対応する位置に棚を設ける等、幅方向端部以外の位置に棚を設ける要望があるが、天板を支持する脚体に前記側板としての機能を備えさせる特許文献１記載の構成では、このような要望には対応できない。
【０００４】
以上に述べた不具合を解消する方法として、天板を補強する手段として広く用いられていて、天板の下面に幅方向に沿って延伸し奥行き方向に離間させて複数設けられている横架材等の補強部を介して、棚を取り付ける方法が考えられている。しかし、このような補強部間の奥行き方向距離は、天板のサイズによって種々に異なり、種々の補強部間の奥行き方向距離のうち１種類の前記距離を有する天板付き家具のみに取付可能な棚を前記距離の種類だけ用意する方法では、それぞれの種類の棚を別々に設計する必要があることから、設計及び製造コストがかさむ不具合が新たに生じ得る。
【０００５】
本発明は、以上に述べた課題を解決すべく構成するものである。
【課題を解決するための手段】
【０００６】
すなわち本発明に係る棚は、天板の下面に幅方向に沿って延伸するとともに天板の下面から垂下する起立面を有する補強部を奥行き方向に離間させて複数設け、異なる２つの補強部の互いに対向する起立面又は互いに背向する起立面のそれぞれに対をなす被係合部を形成している天板付き家具に取り付けられるものであって、棚板の側端部を支持する側板と、前記被係合部にそれぞれ係合可能な対をなす係合部を有し、これら係合部を互いに相寄る方向又は互いに離間する方向に相対移動させそれぞれ対応する被係合部に係合させることにより前記側板を棚板とともに前記天板付き家具に取り付け可能であることを特徴とする。
【０００７】
このようなものであれば、互いに相寄る方向又は互いに離間する方向に対をなす係合部を相対移動させそれぞれ対応する被係合部に係合させることにより、前記側板を棚板とともに前記天板付き家具の天板に取り付けるようにしているので、補強部間の距離が異なる種々の天板に取り付けることができる。さらに、天板付き家具の天板を支持する脚体に棚板を支持する機能を備えさせる必要がなくなるので、左右の脚体の構造の共通化による設計コスト及び製造コストの削減、棚板の高さ位置を変更可能に構成した場合における天板下空間の見栄えの向上、及び天板付き家具の幅方向端部以外の位置に棚を設ける構成の実現等を図ることもできる。
【０００８】
簡単な構成によりこのような棚を実現するための態様の一例として、前記対をなす係合部を、前記側板の上端部に設けているものが挙げられる。このようなものであれば、側板の上端間に前記係合部を取り付けるための特別な部材を設けることなく天板付き家具に取り付けることができるからである。
【０００９】
最小限の設計変更によりこのような棚を実現するための構成としては、前記被係合部として対をなす取付孔を有する前記天板付き家具に取り付けられるものであって、前記対をなす係合部が、それぞれ互いに相寄る方向又は互いに離間する方向に延伸する突起であるものが挙げられる。補強部に取付孔を設けるだけの最小限の設計変更により、前記係合部として突起を有する棚を取り付けることができるからである。
【００１０】
特に、上下方向へのがたつきを有効に防ぐことができるようにするための構成として、前記対をなす係合部の少なくとも一方の下方に、該係合部と同方向に突出し前記補強部の下面と当接する当接部を備えているものが挙げられる。このような構成であれば、係合部と当接部とにより補強部を挟むことができるからである。
【００１１】
さらに、前段で述べた棚を、先に一方の係合部と対応する被係合部たる取付孔とを係合させてから、側板を回転させて側板の上辺が天板の下面に平行に沿う状態にし、その後他方の係合部を奥行き方向に移動させて対応する被係合部たる取付孔とを係合させて取り付ける方法により取り付け可能にする構成として、前記対をなす係合部の一方が前記側板に固定されているとともに、前記対をなす係合部の他方が奥行き方向に移動可能であり、前記当接部を前記奥行き方向に移動可能な係合部の下方にのみ設けているものが挙げられる。このようなものであれば、取付作業の際に前記当接部が補強部と干渉することはないからである。
【００１２】
また、このような棚を引出しレール間等の限られた空間を利用して確実に天板付き家具に取り付けるようにするための態様として、金属板により形成され、基部と、この基部から上方に突出する突部とを備える取付板を２枚１組で側板に設け、前記対をなす係合部を、前記突部の突出端近傍からさらに互いに相寄る方向又は互いに離間する方向に突出させてそれぞれ形成しているものであって、組をなす取付板の基部を幅方向に重合させているものが挙げられる。このようなものであれば、取付板を金属板により形成することで取付部が占有する幅寸法を小さくできるとともに、取付板の基部を幅方向に重合させることにより幅方向からの外力に対する強度を確保できるからである。
【００１３】
棚をより安定して天板付き家具に取り付けることができる構成の一例として、幕板を有する天板付き家具に用いられるものであって、前記側板の後面の下端部に前記幕板に設けた位置決め部と係合可能な位置決め爪を備えているものが挙げられる。
【００１４】
特に、前記係合部を対応する被係合部にそれぞれ係合させる操作の際に無理なく前記位置決め部と前記位置決め爪とを係合させることができるようにする構成として、前記位置決め爪が上方に突出し、前記位置決め部が前記位置決め爪を下方から挿入可能な形状を有するものが挙げられる。
【００１５】
側板の下端部間に棚板を架設した場合において、棚板の浮き上がりを防止するための構成として、前記側板の内面の前下端部に棚板止め突起を内方に突出させて設けているものが挙げられる。
【００１６】
特に、側板の下端部間に棚板を架設した際に、床面と前記棚板との距離が小さく係止ピンを取り付ける操作が困難な場合において、前段の構成により係止ピンを設置した場合と同様の棚板の浮き上がり防止効果を得るとともに、係止ピンの紛失を防ぐことができる効果を得ることができる構成として、前段の構成を採用するとともに、前記棚板と、天板の幅方向に離間させて１対に設けられ前記棚板の両端部をそれぞれ支持する棚板受け具とを係止ピンにより互いに固定可能にしているものであって、前記側板の下端近傍に係止ピンを保持可能な係止ピン保持部を設けているものが挙げられる。
【００１７】
天板下空間の見栄えの向上、左右の脚体の共通化、及び種々の高さ寸法を有する物品を収納することへの対応を同時に図ることができる構成として、前記棚板の高さ位置を変更可能に構成しているものが挙げられる。このようなものであれば、前記棚板の高さ位置を変更することにより種々の高さ寸法を有する物品を収納することができる。
【００１８】
以上に述べた構成の棚を取り付け可能な天板付き家具として好適な態様として、天板の下面に幅方向に沿って延伸するとともに天板の下面から垂下する起立面を有し互いに奥行き方向に離間する補強部を複数有するとともに、異なる２つの補強部の互いに対向する起立面又は互いに背向する起立面に対をなして形成される被係合部を有し、これら対をなす被係合部を介して前記棚を取り付け可能であることを特徴とする天板付き家具が挙げられる。このようなものであれば、天板を補強する手段として広く用いられている補強部を活用し、この補強部に設けた前記被係合部を介して棚を取り付けることができる。
【００１９】
特に、最小限の設計変更によりこのような棚を取り付けることができる構成として、異なる補強部の対向する面又は背向する面に、前記被係合部たる取付孔をそれぞれ設けているものが挙げられる。このようなものであれば、前記係合部として突起を有する棚を前記被係合部たる取付孔に前記突起を係合させることにより取り付けることができるからである。
【００２０】
天板の下方に設けられる引出しと側板とが干渉することなく棚を取り付けることができるようにするための構成としては、天板の下方に案内レールを介して奥行き方向にスライド可能な引出しを設けているものであって、前記案内レール間ないし前記案内レールと天板を支持する脚体との間の空間に前記被係合部を形成しているものが挙げられる。
【００２１】
特に、天板下空間の両側端部に収納用ワゴンを収納可能な天板付き家具ないし両袖の天板付き家具の幅方向中央部に棚を取り付けることができるようにするための構成として、前記引出しを幅方向に３つ以上並列して設けているものであって、前記被係合部を前記案内レール間に形成しているものが挙げられる。
【発明の効果】
【００２２】
本発明に係る棚は、対をなす係合部を互いに相寄る方向又は互いに離間する方向に相対移動させることによりこれら係合部をそれぞれ対応する被係合部に係合させて天板に取り付けるようにしているので、補強部間の距離が異なる種々の天板に取り付けることができる。したがって、設計及び部品の共通化を促進でき、コストの低減を図ることができる。さらに、天板付き家具の天板を支持する脚体に棚板を支持する機能を備えさせる必要がなくなるので、左右の脚体の構造の共通化による設計コスト及び製造コストの削減、棚板の高さ位置を変更可能に構成した場合における天板下空間の見栄えの向上、及び天板付き家具の幅方向端部以外の位置に棚を設ける構成の実現等を図ることもできる。
【発明を実施するための最良の形態】
【００２３】
以下、本発明の一実施形態を、図面を参照して説明する。
【００２４】
本発明に係る棚Ｔは、図１に正面図、図２に平面図、図３に図１におけるａ−ａ断面図、図４に図１におけるｂ−ｂ断面図をそれぞれ示すように、天板付き家具Ｄに取り付けて使用するものである。なお、以下の記載では、この天板付き家具Ｄを利用する者に向かう方向を前方とする。
【００２５】
前記棚Ｔは、前記図１〜４及び斜視図である図５に示すように、棚板３と、棚板３の両側縁を支持する棚板受け具２と、この棚板受け具２を高さ位置を変更可能に取り付けるよう構成され天板Ｄ１の幅方向に離間して１対設けられた側板１とを有する。すなわち、側板１に棚板受け具２を介して棚板３の両側縁を支持させてなるものである。
【００２６】
側板１は、本実施形態では板金加工により形成され、上縁部、下縁部、前縁部、及び後縁部を内方に折り返して形成している側板本体１０と、金属板により形成され側板本体１０の上端部に固定して設けた第１取付板１３と、金属板により形成されこの第１取付板１３に対して奥行き方向に相対移動可能に取り付けた第２取付板１４とを備えている。さらに、第１取付板１３には第１係合部１１、第２取付板１４には第２係合部１２をそれぞれ設け、これらを介して天板付き家具Ｄに取り付け可能にしている。そして、前記側板本体１０の幅方向中央部には、前後で１対をなして前記棚板受け具２に前後１対に設けられる係合爪と係合する棚板受け孔１ｘを高さ方向に離間させて複数対設けている。
【００２７】
棚板受け具２は、本実施形態では板金加工により形成され、図６に示すように、長手方向に沿う一方の端縁の前後両端部には上述したように前記棚板受け孔１ｘと係合する係合爪２１を上方に屈曲させて設けているとともに、前記端縁の幅方向中央部には側板１に当接する当接板部２２を下方に屈曲させて設けている。そして、他方の端縁を上方に屈曲させて棚板３の側縁部と係合する起立壁２３を設けていて、この起立壁２３の長手方向中央部には係止ピン挿通孔２ｘを形成している。なお、前記図６の（ａ）にこの棚板受け具２の側面図、同図の（ｂ）にこの棚板受け具２の正面図、同図の（ｃ）にこの棚板受け具２の平面図をそれぞれ示している。
【００２８】
棚板３は、本実施形態では板金加工により形成され、前後左右の端縁部を下方に折り返して形成している。そして、この棚板３の左右両側面の長手方向中央部には、この棚板を前記棚板受け具２を介して前記側板１間に掛け渡した状態で前記棚板受け具２の前記係止ピン挿通孔２ｘと重合する位置に図示しない係止ピン挿通孔を形成している。
【００２９】
一方、前記天板付き家具Ｄは、前記図１〜図４に示すように、天板Ｄ１の両側端を脚体Ｄ２により支持しているとともに、この天板付き家具Ｄの後端部には、背面を構成する幕板Ｄ４が設けられている。
【００３０】
天板Ｄ１の下面にはこの天板Ｄ１を補強すべく補強部たる横架材Ｄ３が奥行き方向に離間させて複数設けてある。この横架材Ｄ３は、本実施形態では上方に開口するチャネル状をなし、この開口を天板Ｄ１により閉塞してなるとともに、天板Ｄ１から垂下し前方を向く前起立面Ｄ３ａと、天板Ｄ１から垂下し後方を向く後起立面Ｄ３ｂとを有する。この横架材Ｄ３は、本実施形態では前端部、後端部、及び奥行き方向中央部に設けている。そして、後述するように、天板Ｄ１の後端部に設けた横架材Ｄ３の前起立面Ｄ３ａには前記第１係合部１１と係合可能な第１取付孔Ｄ３ｘを、天板Ｄ１の奥行き方向中央部に設けた横架材Ｄ３の後起立面Ｄ３ｂには前記第２係合部１２と係合可能な第２取付孔Ｄ３ｙを、奥行き方向に離間して対にしてそれぞれ形成し、前記第１係合部１１と前記第１取付孔Ｄ３ｘとを係合させるとともに前記第２係合部１２と前記第２取付孔Ｄ３ｙとを係合させて棚Ｔを取り付け可能にしている。
【００３１】
そして、天板Ｄ１の下方には、案内レールＤ５１を介して引出しＤ５を奥行き方向にスライド移動可能に設けている。この引出しＤ５は、本実施形態では幅方向にそれぞれ隣接させて３個設けている。
【００３２】
しかして本実施形態では、前記図１〜図５、図３の要部を拡大した図である図７、及び天板Ｄ１の要部の図２におけるｘ−ｘ断面とｙ−ｙ断面をそれぞれ示した図である図８に示すように、前記横架材Ｄ３が天板の下面から垂下する起立面を有し、異なる２つの横架材Ｄ３の互いに対向する起立面、すなわち前方に位置する横架材Ｄ３の後起立面Ｄ３ｂ及び後方に位置する横架材Ｄ３の前起立面Ｄ３ａのそれぞれに対をなす被係合部を形成しているとともに、前記被係合部にそれぞれ係合可能な対をなす第１係合部１１及び第２係合部１２を有し、これら第１係合部１１及び第２係合部１２を互いに離間する方向に相対移動させそれぞれ対応する被係合部に係合させることにより前記側板１を棚板３とともに前記天板付き家具Ｄに取り付け可能な構成を有する。なお、前記図８の（ａ）には天板Ｄ１の要部のｘ−ｘ断面、同図の（ｂ）には同ｙ−ｙ断面をそれぞれ示している。
【００３３】
具体的には、前記第１取付板１３から前記第１係合部１１を後方に突出させて形成しているとともに、前記第２取付板１４から前記第２係合部１２を前方に突出させて形成している。すなわち、上述したように前記第２取付板１４は前記第１取付板１３に対して奥行き方向に移動可能であるので前記第２係合部１２もまた前記第１係合部１１に対して奥行き方向に移動可能である。加えて、前記第２係合部１２の下方には、当接部１５を同じく第２取付板１４から前方に突出させて形成している。
【００３４】
具体的には、前記第１取付板１３は、下半部に位置し側板１の上端部に溶接して固定してなる固定部１３１と、固定部１３１の上方かつ側板本体１０の上端より上方に位置し略矩形状をなす基部１３２と、この基部１３２からさらに上方に突出する突部１３３と、突部１３３の突出端近傍から上述したように後方に突出させて形成してなる前記第１係合部１１とを備えている。
【００３５】
前記第２取付板１４は、略矩形状をなす基部１４１と、基部１４１の前端部から上方に突出させて設けた突部１４２と、この突部１４２から前方に突出させて設けた第２係合部１２と、この第２係合部１２の下方において同じく突部から前方に突出させて設けた当接部１５とを備えている。前記基部１４１は、本実施形態ではその一部が前記第１取付板１３の基部１３２の一部と幅方向に重合している。
【００３６】
そして、前記第１取付板１３と前記第２取付板１４との間には、前記第１取付板１３に対する奥行き方向位置を変更可能に前記第２取付板１４を取り付ける位置決め部が設けられている。この位置決め部は、具体的には前記第１取付板１３に設けられた長孔１３ｘと、前記第２取付板１４に設けられた雌ねじ孔１４ｘと、前記長孔１３ｘを通過し前記雌ねじ孔１４ｘにねじ止めされる係止ねじｖとからなり、前記係止ねじｖが前記長孔１３ｘを通過し前記雌ねじ孔１４ｘに仮止めされた状態で前記第２取付板１４を奥行き方向にスライド移動可能に案内する機能を有する。なお、前記長孔１３ｘに替えて、前記係止ねじｖを通過させることが可能なねじ挿通孔を奥行き方向に離間させて複数設けたものを採用してもよい。
【００３７】
一方、横架材Ｄ３には、これら第１係合部１１及び第２係合部１２と係合可能な被係合部たる第１取付孔Ｄ３ｘ及び第２取付孔Ｄ３ｙを形成している。具体的には、天板Ｄ１の後端部に設けた横架材Ｄ３の前起立面Ｄ３ａには前記第１係合部１１と係合可能な第１取付孔Ｄ３ｘを、天板Ｄ１の奥行き方向中央部に設けた横架材Ｄ３の後起立面Ｄ３ｂには前記第２係合部１２と係合可能な第２取付孔Ｄ３ｙを、奥行き方向に離間して対にして形成している。これら第１取付孔Ｄ３ｘ及び第２取付孔Ｄ３ｙは、本実施形態では図８に示すような互いに隣接する引出しを案内する案内レールＤ５１間の空間に２対ずつ、及び前記案内レールＤ５１と脚体Ｄ２との間の空間に臨む部位に１対ずつ設けられていて、引出しＤ５をまたいで棚板Ｔを取り付けるようにしている。
【００３８】
また、側板１の後面の下端部には上方に突出する位置決め爪１６を設けているとともに、幕板Ｄ４の底面にはこの位置決め爪１６と係合可能な位置決め部たる位置決め孔Ｄ４ａを設けている。
【００３９】
加えて、側板１に棚板受け具２を高さ位置変更可能に取り付けるようにしているとともに、棚板３の浮き上がりを防ぐべく棚板受け具２と棚板３とを棚板固定具たる係止ピンＰにより固定するようにしている。棚板３を側板１の下端部間に掛け渡す場合には、棚板３下方の空間に手を入れて棚板受け具２と棚板３とを係止ピンＰにより固定する操作は行いにくいので、棚板３の浮き上がりを防ぐべく側板１の前下端部に棚板止め突起１７を形成しているとともに、使用しない係止ピンＰは側板１の下端近傍に形成した係止ピン仮固定部に取り付けるようにしている。
【００４０】
そして、天板付き家具Ｄの天板Ｄ１下方の棚Ｔを設けない部分には、図示しないワゴンを収納することができる。
【００４１】
以下にこのように構成した棚Ｔを天板付き家具Ｄに取り付ける手順を示す。
【００４２】
まず、前記位置決め爪１６を前記位置決め孔Ｄ４ａに下方から挿入して係合させる。次いで、側板１を回転させて側板１の上辺が天板Ｄ１の下面に平行に沿う状態にし、第１係合部１１を第１取付孔Ｄ３ｘに係合させる。そして、第２係合部１２を前方に移動させて第２取付孔Ｄ３ｙとを係合させるとともに、当接部１５を横架材Ｄ３の下面に当接させる。このようにして両側の側板１を取り付けた後、両側の側板１の所望の高さ位置に棚板受け具２を取り付け、両側の棚板受け具２に側縁部を支持させるようにして棚板３を取り付ける。そして、最下段以外の位置に棚板３を取り付けた場合には、棚板受け具２と棚板３とを係止ピンＰを介して互いに固定する。一方、最下段に棚板３を取り付けた場合には、使用しない係止ピンＰを側板１の下端近傍に形成した係止ピン仮固定部１ｘに取り付ける。
【００４３】
本実施形態に係る棚Ｔ及び天板付き家具Ｔは、以上に述べたように構成し、以下に述べるような効果を実現している。
【００４４】
天板付き家具Ｄの天板Ｄ１に、その後端部に設けた横架材Ｄ３の前起立面Ｄ３ａに形成した被係合部たる第１取付孔Ｄ３ｘ、及び前記天板Ｄ１の奥行き方向中央部に設けた横架材Ｄ３の後起立面Ｄ３ｂに前記第１取付孔Ｄ３ｘと対にして形成した被係合部たる第２取付孔Ｄ３ｙを設けるとともに、前記第１取付孔Ｄ３ｘに係合可能な第１係合部１１と前記第２取付孔Ｄ３ｙに係合可能な第２係合部１２との対を有し、これら第１係合部１１及び第２係合部１２を互いに離間する方向に相対移動させ、前記第１取付孔Ｄ３ｘ及び前記第２取付孔Ｄ３ｙにそれぞれ係合させることにより前記側板１を棚板３とともに前記天板付き家具Ｄに取り付け可能にしているので、棚Ｔを横架材Ｄ３間の距離が異なる種々の天板Ｄ１に取り付けることができる。
【００４５】
前記第１係合部１１及び第２係合部１２を、前記側板１の上端部に設けているので、側板１の上端間に前記第１係合部１１及び第２係合部１２を取り付けるための特別な部材を設けることなく天板付き家具Ｄに取り付けることができ、簡単な構成によりこのような棚Ｔを実現することができる。
【００４６】
前記第１係合部１１及び第２係合部１２が、それぞれ相反する方向に延伸する突起であるので、横架材Ｄ３に取付孔Ｄ３ｃを設けるだけの最小限の設計変更により、このような棚Ｔ及びこのような棚Ｔを取り付け可能な天板付き家具Ｄを実現している。
【００４７】
前記第２係合部１２の下方に、第２係合部１２と同方向に突出し前記横架材Ｄ３の下面と当接する当接部１５を備えているので、第２係合部１２と当接部１５とにより横架材Ｄ３を挟み、側板１の上下方向へのがたつきを有効に防ぐことができる。また、前記第１係合部１１が前記側板１に固定されているとともに、前記第２係合部１２が奥行き方向に移動可能であるので、取付作業の際に前記当接部１５が横架材Ｄ３と干渉することがなく、上述したような棚Ｔの取り付け方法を実現でき、棚Ｔの取付作業を無理なく行うことができる。
【００４８】
金属板により形成され、側板本体１０の上端より上方に位置する基部１３２と、この基部１３２から上方に突出する突部１３３とを備える第１取付板１３、及び金属板により形成され、側板の上端より上方に位置する基部１４１と、この基部１４１から上方に突出する突部１４２とを備える第２取付板１４を２枚１組で側板１に設け、第１係合部１１を第１取付板１３の突部１３３から、第２係合部１２を第２取付板１４の突部１４２からそれぞれ突出させて形成しているとともに、第１取付板１３の基部１３２と第２取付板１４の基部１４１とを幅方向に重合させているので、第１係合部１１及び第２係合部１２が占有する幅寸法を小さくできるとともに、第１取付板１３の基部１３２と第２取付板１４の基部１４１とを幅方向に重合させることにより幅方向からの外力に対する強度を確保でき、案内レールＤ５１間及び案内レールＤ５１と脚体Ｄ２の間の限られた空間を利用して棚Ｔを確実に天板付き家具Ｄに取り付けることができる。
【００４９】
前記側板１の後面の下端部に前記幕板Ｄ４に設けた位置決め孔Ｄ４ａと係合可能な位置決め爪１６を備えているので、棚Ｔをより安定して天板付き家具Ｄに取り付けることができる。
【００５０】
特に、前記位置決め爪１６が上方に突出し、前記位置決め孔Ｄ４ａが前記位置決め爪１６を下方から挿入可能な形状を有するので、前記第１係合部１１及び第２係合部１２を対応する取付孔Ｄ３ｃにそれぞれ係合させる操作の際に無理なく前記位置決め孔Ｄ４ａと前記位置決め爪１６とを係合させることができる。
【００５１】
前記側板１の内面の前下端部に棚板止め突起１７を内方に突出させて設けているので、最下段の棚板受け孔１ｘを利用して側板１の下端部間に棚板３を架設した場合において、前記棚板止め突起１７により棚板３の浮き上がりを防止することができる。
【００５２】
さらに、前記棚板３と、前記棚板受け２とを係止ピンＰにより互いに固定可能にしているとともに、前記側板１の下端近傍に係止ピンＰを固定可能な係止ピン仮固定部１ｘを設けているので、側板１の下端部間に棚板３を架設した際に、前段の構成により係止ピンＰを設置した場合と同様の棚板３の浮き上がり防止効果を得るとともに、係止ピンＰを係止ピン仮固定部１ｘに固定して係止ピンＰの紛失を防ぐことができる。
【００５３】
前記棚板３の高さ位置を変更可能に構成しているので、前記棚板３の高さ位置を変更することにより種々の高さ寸法を有する物品を収納することができ、天板下空間の見栄えの向上、左右の脚体Ｄ２の共通化、及び種々の高さ寸法を有する物品を収納することへの対応を同時に図ることができる。
【００５４】
一方、天板付き家具Ｄの側においては、天板Ｄ１の下面に幅方向に沿って延伸するとともに天板Ｄ１の下面から垂下する前起立面Ｄ３ａ及び後起立面Ｄ３ｂを有し互いに奥行き方向に離間する横架材Ｄ３を複数有するとともに、異なる２つの横架材Ｄ３の互いに対向する起立面Ｄ３ａ、Ｄ３ｂに対をなして形成される被係合部たる取付孔Ｄ３ｃを有し、これら対をなす取付孔Ｄ３ｃを介して前記棚Ｔを取り付け可能であるので、天板Ｄ１を補強する手段として広く用いられている横架材Ｄ３を活用し、この横架材Ｄ３に設けた前記取付孔Ｄ３ｃを介して棚を取り付けることができる。
【００５５】
天板Ｄ１の下方に案内レールＤ５１を介して奥行き方向にスライド可能な引出しＤ５を設けているとともに、前記案内レール間Ｄ５１ないし前記案内レールＤ５１と脚体Ｄ２との間の空間に前記取付孔Ｄ３ｃを形成しているので、前記引出しＤ５と干渉することなく棚Ｔを取り付けることができる。
【００５６】
特に、前記取付孔Ｄ３ｃを前記案内レールＤ５１間に形成していることにより、前記引出しＤ５を幅方向に３つ並列して設けている天板付き家具Ｄの幅方向中央部に棚Ｔを取り付けるとともに、この天板付き家具Ｄの天板Ｄ１下方の空間の左右両側にワゴンを収納する構成を実現することができる。
【００５７】
なお、本発明は上述した実施形態に限られない。
【００５８】
例えば、対をなす係合部を相寄る方向に移動させて被係合部に係合可能な構成を採用してもよい。
【００５９】
また、被係合部として横架材に有底の取付凹部を形成するとともに、前記取付凹部に係合可能な突起を係合部として形成する態様や、被係合部として横架材に突条を形成するとともに、前記突条に係合可能な凹部を係合部として形成する態様を採用してもよい。
【００６０】
さらに、上述した実施形態では、横架材の下面に当接する当接部１５を第２係合部１２の下方にのみ設けているが、このような当接部を第１係合部１１の下方にも設けるようにしてもよく、逆に当接部を省略してもかまわない。
【００６１】
一方、天板付き家具の幕板と棚の側板との係合の態様は、上述した実施形態に限らず、位置決め爪及びこの位置決め爪と係合可能な位置決め部を高さ方向中間部にも設けるようにしてもよく、高さ方向中間部にのみ設けるようにしてもよい。また、天板付き家具の幕板は省略してもよい。
【００６２】
加えて、棚板に直接取付爪を設けて側板の棚板受け孔に係合させる構成を採用する等の方法により、上述した実施形態における棚板受けを省略してもよい。
【００６３】
また、天板付き家具の補強部として、天板の下方に設けた横架材だけでなく、前端縁又は後端縁を折り返して形成したものを利用してもよい。一例としては図９に側断面図を示すように、板金加工により構成される天板Ｄ１０に、上述した実施形態に係る横架材Ｄ３と同様の構成を有し奥行き方向中間部に配設され、前起立面Ｄ１０３ａ及び後起立面Ｄ１０３ｂを有する横架材Ｄ１０３の他に、前端縁を折り返して形成し後方を向く後起立面Ｄ１０１ｂを有する前補強部Ｄ１０１や、後端縁を折り返して形成し前方を向く前起立面Ｄ１０２ａを有する後補強部Ｄ１０２を設けてもよい。このような天板Ｄ１０には、前記横架材Ｄ１０３の前起立面Ｄ１０３ａ及び前記後起立面Ｄ１０３ｂに、上述した実施形態における第１係合部１１及び第２係合部１２にそれぞれ係合可能な被係合部たる第１取付孔Ｄ１０３ｘ及び第２取付孔Ｄ１０３ｙを設けるとともに、前記後補強部Ｄ１０２の前起立面Ｄ１０２ａに前記第１係合部１１に係合可能な被係合部たる第３取付孔Ｄ１０２ｘ、前記前補強部Ｄ１０１の後起立面Ｄ１０１ｂに前記第２係合部１２に係合可能な被係合部たる第４取付孔Ｄ１０１ｙを設けるとよい。この場合、第３取付孔Ｄ１０２ｘは前記後補強部Ｄ１０２の前起立面Ｄ１０２ａと対向する後起立面Ｄ１０３ｂに設けた第２取付孔Ｄ１０３ｙと、また、第４取付孔Ｄ１０１ｙは前記前補強部Ｄ１０１の後起立面Ｄ１０１ｂと対向する前起立面Ｄ１０３ａに設けた第１取付孔Ｄ１０３ｘとそれぞれ対にし、それぞれ奥行き方向に離間させて設けるとよい。
【００６４】
そして、天板付き家具の引出しは、必ずしも設けなくてもよい。
【００６５】
その他、各部の具体的構成についても上記実施形態に限られるものではなく、本発明の趣旨を逸脱しない範囲で種々変形が可能である。
【図面の簡単な説明】
【００６６】
【図１】本発明の一実施形態に係る棚を取り付けた天板付き家具を示す正面図。
【図２】同実施形態に係る棚を取り付けた天板付き家具を示す側面図。
【図３】図１におけるａ−ａ断面図。
【図４】図１におけるｂ−ｂ断面図。
【図５】同実施形態に係る棚を示す斜視図。
【図６】同実施形態に係る棚板受け具を示す図。
【図７】図３の要部を拡大して示した図。
【図８】同実施形態に係る天板の要部の図２におけるｘ−ｘ断面とｙ−ｙ断面をそれぞれ示した図。
【図９】本発明の他の実施形態に係る天板の側面図。
【符号の説明】
【００６７】
Ｔ…棚
１…側板
１１…第１係合部（係合部）
１２…第２係合部（係合部）
１５…当接部
１６…位置決め爪
１７…棚板止め突起
２…棚板受け具
３…棚板
Ｄ…天板付き家具
Ｄ１…天板
Ｄ２…脚体
Ｄ３…横架材（補強部）
Ｄ３ａ…前起立面（起立面）
Ｄ３ｂ…後起立面（起立面）
Ｄ３ｘ…第１取付孔（被係合部）
Ｄ３ｙ…第２取付孔（被係合部）
Ｄ４…幕板
Ｄ４ａ…位置決め孔（位置決め部）
Ｄ５…引出し
Ｄ５１…案内レール
Ｄ１０１…前補強部（補強部）
Ｄ１０２…後補強部（補強部）
Ｄ１０３…横架材（補強部）
Ｄ１０２ａ、Ｄ１０３ａ…前起立面（起立面）
Ｄ１０１ｂ、Ｄ１０３ｂ…後起立面（起立面）
Ｄ１０３ｘ…第１取付孔（被係合部）
Ｄ１０３ｙ…第２取付孔（被係合部）
Ｄ１０２ｘ…第３取付孔（被係合部）
Ｄ１０１ｙ…第４取付孔（被係合部）
【図１】
2005198913.tif 000003
【図２】
2005198913.tif 000004
【図３】
2005198913.tif 000005
【図４】
2005198913.tif 000006
【図５】
2005198913.tif 000007
【図６】
2005198913.tif 000008
【図７】
2005198913.tif 000009
【図８】
2005198913.tif 000010
【図９】
2005198913.tif 000011